(57)【要約】【課題】取引金額を電子マネーで決済するためのカードデータを記憶している非接触式のＩＣを有する複合カードで取引金額の決済処理が適正に行える。【解決手段】カード処理端末１は、入力された決済要求に応じて、受け付けた決済カード１０に記録されているカードデータを読み取る。近距離無線通信部３が決済カード１０との無線通信でカードデータを読み取る。磁気データ読取部４が決済カード１０の磁気ストライプ１０１に記録されているカードデータを読み取る。ＩＣデータ読取部５が接点端子５ａを決済カード１０のＩＣ接点１０２に電気的に接続させてカードデータを読み取る。優先順位決定部１１は、近距離無線通信部３、磁気データ読取部、およびＩＣデータ読取部５が読み取るカードデータの優先順位を決定する。入出力部６は、決済カード１０から読み取ったカードデータの中で、最も優先順位の高いカードデータを上位装置に出力する。【選択図】図４
2019114089.tif 000002
【特許請求の範囲】
【請求項１】
上位装置から、取引金額を決済カードで決済する決済要求が入力される決済要求入力部と、
前記決済要求入力部に入力された前記決済要求に応じて受け付けた決済カードに記録されているカードデータを読み取るカードデータ読取部と、
前記カードデータ読取部が読み取ったカードデータを前記上位装置に出力するカードデータ出力部と、を備えたカード処理端末において、
前記カードデータ読取部は、前記決済カードに記録されているカードデータを、前記決済カードとの無線通信で読み取る非接触読取方式、接点端子を前記決済カードの表面に形成されているＩＣ接点に電気的に接続して読み取る接触読取方式、および磁気ヘッドを前記決済カードの表面に形成されている磁気ストライプに当接させて読み取る磁気読取方式のうち、少なくとも前記非接触読取方式を含む２つ以上について行え、
また、前記決済要求入力部に入力された前記決済要求にかかる取引金額が予め定めた判定金額を基準にして、前記カードデータ読取部が前記非接触読取方式で読み取るカードデータ、前記カードデータ読取部が前記接触読取方式で読み取るカードデータ、または前記カードデータ読取部が前記磁気読取方式で読み取るカードデータについて優先順位を決定する優先順位決定部を備え、
さらに、前記カードデータ出力部は、前記カードデータ読取部が読み取ったカードデータの中で、優先順位が最も高い読取方式で読み取ったカードデータを前記上位装置に出力する、カード処理端末。
【請求項２】
前記優先順位決定部は、前記決済要求入力部に入力された前記決済要求にかかる取引金額が前記判定金額以下であれば、前記カードデータ読取部が前記非接触読取方式で読み取ったカードデータを、最も優先順位の高いカードデータに決定する、請求項１に記載のカード処理端末。
【請求項３】
前記カードデータ読取部は、前記決済要求入力部に入力された前記決済要求にかかる取引金額が前記判定金額を超えていれば、前記非接触読取方式によるカードデータの読み取りを停止する、請求項１、または２に記載のカード処理端末。
【請求項４】
前記カードデータ読取部が前記非接触方式で読み取ったカードデータに含まれる残高金額が、前記決済要求入力部に入力された前記決済要求にかかる取引金額以下であるかどうかを判定する残高判定部と、
前記カードデータ読取部がカードデータを読み取った前記決済カードについて、現在の残高に対して金額を追加するオートチャージ処理の可否を判定するオートチャージ判定部と、
前記残高判定部によって、前記カードデータ読取部が前記非接触方式で読み取ったカードデータに含まれる残高金額が、前記決済要求入力部に入力された前記決済要求にかかる取引金額以下であると判定され、且つ前記オートチャージ判定部によって前記オートチャージ処理が可能であると判定されたとき、オートチャージ処理を行うオートチャージ処理部と、を備えた請求項１〜３のいずれかに記載のカード処理端末。
【請求項５】
上位装置から、決済要求入力部に入力された取引金額を決済カードで決済する決済要求を受け付け、
受け付けた前記決済要求に応じて、決済カードに記録されているカードデータをカードデータ読取部に読み取らせ、
カードデータ出力部に、前記カードデータ読取部で読み取ったカードデータを前記上位装置に出力させる、処理をコンピュータが実行するカード決済方法であって、
前記カードデータ読取部は、前記決済カードに記録されているカードデータを、前記決済カードとの無線通信で読み取る非接触読取方式、接点端子を前記決済カードの表面に形成されているＩＣ接点に電気的に接続して読み取る接触読取方式、および磁気ヘッドを前記決済カードの表面に形成されている磁気ストライプに当接させて読み取る磁気読取方式のうち、少なくとも前記非接触読取方式を含む２つ以上について行え、
また、前記コンピュータが、前記決済要求入力部に入力された前記決済要求にかかる取引金額が予め定めた判定金額を基準にして、前記カードデータ読取部が前記非接触読取方式で読み取るカードデータ、前記カードデータ読取部が前記接触読取方式で読み取るカードデータ、または前記カードデータ読取部が前記磁気読取方式で読み取るカードデータについて優先順位を決定し、さらに、前記カードデータ出力部に、前記カードデータ読取部が読み取ったカードデータの中で、優先順位が最も高い読取方式で読み取ったカードデータを前記上位装置に出力させる、カード決済方法。
【請求項６】
上位装置から、決済要求入力部に入力された取引金額を決済カードで決済する決済要求を受け付け、
受け付けた前記決済要求に応じて、決済カードに記録されているカードデータをカードデータ読取部に読み取らせ、
カードデータ出力部に、前記カードデータ読取部で読み取ったカードデータを前記上位装置に出力させる、処理をコンピュータに実行させるカード決済プログラムであって、
前記カードデータ読取部は、前記決済カードに記録されているカードデータを、前記決済カードとの無線通信で読み取る非接触読取方式、接点端子を前記決済カードの表面に形成されているＩＣ接点に電気的に接続して読み取る接触読取方式、および磁気ヘッドを前記決済カードの表面に形成されている磁気ストライプに当接させて読み取る磁気読取方式のうち、少なくとも前記非接触読取方式を含む２つ以上について行え、
また、前記コンピュータに、前記決済要求入力部に入力された前記決済要求にかかる取引金額が予め定めた判定金額を基準にして、前記カードデータ読取部が前記非接触読取方式で読み取るカードデータ、前記カードデータ読取部が前記接触読取方式で読み取るカードデータ、または前記カードデータ読取部が前記磁気読取方式で読み取るカードデータについて優先順位を決定し、さらに、前記カードデータ出力部に、前記カードデータ読取部が読み取ったカードデータの中で、優先順位が最も高い読取方式で読み取ったカードデータを前記上位装置に出力させる、カード決済プログラム。
【発明の詳細な説明】
【技術分野】
【０００１】
この発明は、取引金額を決済カードで決済する決済処理にかかる技術に関する。
【背景技術】
【０００２】
従来、店舗では、取引金額を現金ではなく、決済カードで決済するカード取引が行われている。決済カードは、取引金額の決済に用いるカードデータを磁気ストライプやＩＣ（Integrated Circuit）に記録している。また、カードデータをＩＣに記憶しているＩＣカードには、カード表面にＩＣ接点を形成した接触式ＩＣカード、近距離無線通信機能を有する非接触式ＩＣカードがある。さらに、磁気ストライプ、およびＩＣを有する複合カードもある。このように、取引金額の決済に使用される決済カードには、様々な種類がある。
【０００３】
また、取引金額の決済に使用される決済カードの種類を意識することなく行えるカード処理装置がある（特許文献１参照）。この特許文献１のカード処理装置は、挿入口に挿入された決済カードの搬送路に沿って、決済カードとの間で無線通信を行う無線通信エリア、決済カードに形成されている磁気ストライプに当接させる磁気ヘッド、および決済カードに形成されているＩＣ接点に電気的に接続する接点端子を、この順に並べた構成である。特許文献１のカード処理装置は、挿入口に挿入された決済カードが、磁気カード、接触式ＩＣカード、非接触式ＩＣカード、またはこれらの複合カードのいずれであっても、磁気ストライプやＩＣに記録されているカードデータを読み取って決済処理を行うことができる。
【０００４】
また、磁気ストライプに記録されているカードデータは、ＩＣに記録されているカードデータに比べると簡単に書き換えられることから、セキュリティが低いとされている。特許文献１のカード処理装置は、カード決済にかかるセキュリティの観点から、ＩＣが設けられている決済カードであれば、磁気ストライプに記録されているカードデータを読み取ることができたかどうかにかかわらず、ＩＣに記録されているカードデータで取引金額の決済処理を行う構成である。言い換えれば、特許文献１のカード処理装置は、ＩＣが設けられている決済カードであれば、磁気ストライプに記録されているカードデータで決済処理を行わない構成である。
【先行技術文献】
【特許文献】
【０００５】
【特許文献１】特開２００３−１９６６１８号公報
【発明の概要】
【発明が解決しようとする課題】
【０００６】
しかしながら、決済カードの種類だけでなく、取引金額の決済種別も、クレジット決済、デビット決済、電子マネー決済等、複数の種別がある。一般に普及している決済カードは、取引金額をクレジット（またはデビット）で決済するためのカードデータを磁気ストライプ、または接触式のＩＣに記録し、取引金額を電子マネーで決済するためのカードデータを非接触式のＩＣに記録している。
【０００７】
このため、特許文献１の構成では、磁気カードと非接触式ＩＣカードの複合カードが使用されたときには、取引金額の決済が電子マネーで行われることになる。一方で、電子マネーで決済できる取引金額には、上限金額が定められている。このため、特許文献１の構成では、取引金額が電子マネーで決済できる上限金額を超えている取引であると、顧客（決済カードの所有者）が取引金額をクレジット（またはデビット）で決済するつもりで使用した決済カードが、磁気カードと非接触式ＩＣカードの複合カードの場合、取引金額の決済が行えない。具体的には、特許文献１の構成では、ＩＣが設けられた複合カードであるので、取引金額の決済種別が電子マネー決済になる。一方で、取引金額が電子マネーで決済できる上限金額を超えているので、電子マネーで決済できないと判定される。
【０００８】
この発明の目的は、決済カードが取引金額を電子マネーで決済するためのカードデータを非接触式のＩＣに記憶している複合カードであっても、取引金額にかかわらず決済処理が適正に行える技術を提供する。
【課題を解決するための手段】
【０００９】
この発明のカード処理端末は、上記目的を達するために、以下のように構成している。
【００１０】
決済要求入力部には、取引金額をカードで決済する決済要求が上位装置から入力される。この上位装置は、取引する商品やサービス等を登録するＰＯＳ端末等である。
【００１１】
カードデータ読取部は、決済要求入力部に入力された前記決済要求に応じて受け付けた決済カードに記録されているカードデータを読み取る。このカードデータ読取部は、決済カードに記録されているカードデータを、決済カードとの無線通信で読み取る非接触読取方式、接点端子を決済カードの表面に形成されているＩＣ接点に電気的に接続して読み取る接触読取方式、および磁気ヘッドを決済カードの表面に形成されている磁気ストライプに当接させて読み取る磁気読取方式のうち、少なくとも非接触読取方式を含む２つ以上について行える。
【００１２】
優先順位決定部は、決済要求入力部に入力された決済要求にかかる取引金額が予め定めた判定金額を基準にして、カードデータ読取部が非接触読取方式で読み取るカードデータ、カードデータ読取部が接触読取方式で読み取るカードデータ、またはカードデータ読取部が磁気読取方式で読み取るカードデータについて優先順位を決定する。そして、優先順位決定部を備え、カードデータ出力部が、カードデータ読取部が読み取ったカードデータの中で、優先順位が最も高い読取方式で読み取ったカードデータを上位装置に出力する。
【００１３】
この構成によれば、取引金額が電子マネーで決済できる上限金額を超えている取引であると、取引金額を電子マネーで決済するためのカードデータを上位装置に出力するのを制限し、取引金額をクレジット、またはデビットで決済するためのカードデータを優先的に上位装置に出力することができる。したがって、決済カードが取引金額を電子マネーで決済するためのカードデータを非接触式のＩＣに記憶している複合カードであっても、取引金額にかかわらず決済処理が適正に行える。
【００１４】
例えば、優先順位決定部は、決済要求入力部に入力された決済要求にかかる取引金額が判定金額以下であれば、カードデータ読取部が非接触読取方式で読み取ったカードデータを、最も優先順位の高いカードデータに決定してもよい。また、カードデータ読取部は、決済要求入力部に入力された決済要求にかかる取引金額が判定金額を超えていれば、非接触読取方式によるカードデータの読み取りを停止する構成にしてもよい。
【００１５】
さらに、カードデータ読取部が非接触方式で読み取ったカードデータに含まれる残高金額が、決済要求入力部に入力された決済要求にかかる取引金額以下であるかどうかを判定する残高判定部、カードデータ読取部がカードデータを読み取った決済カードについて、現在の残高に対して金額を追加するオートチャージ処理の可否を判定するオートチャージ判定部、および残高判定部によって、カードデータ読取部が非接触方式で読み取ったカードデータに含まれる残高金額が、決済要求入力部に入力された決済要求にかかる取引金額以下であると判定され、且つオートチャージ判定部によってオートチャージ処理が可能であると判定されたとき、オートチャージ処理を行うオートチャージ処理部を、追加的に備えてもよい。
【００１６】
このように構成すれば、決済カードが保有する電子マネーの価値残高不足により、取引金額を決済できないという事態が発生するのを防止できる。
【発明の効果】
【００１７】
この発明によれば、決済カードが取引金額を電子マネーで決済するためのカードデータを非接触式のＩＣに記憶している複合カードであっても、取引金額にかかわらず決済処理が適正に行える。
【図面の簡単な説明】
【００１８】
【図１】この例にかかるカード処理端末の概略の外観図である。
【図２】この例にかかるカード処理端末の概略の断面図である。
【図３】決済カードを示す図である。
【図４】この例にかかるカード処理端末の主要部の構成を示すブロック図である。
【図５】この例にかかるカード処理端末の動作を示すフローチャートである。
【図６】別の例にかかるカード処理端末の主要部の構成を示すブロック図である。
【図７】別の例にかかるカード処理端末の動作を示すフローチャートである。
【図８】別の例にかかるカード処理端末の概略の断面図である。
【発明を実施するための形態】
【００１９】
以下、この発明の実施形態について説明する。
【００２０】
＜１．適用例＞
図１は、この例にかかるカード処理端末の概略の外観図である。図２は、この例にかかるカード処理端末の概略の断面図である。図３は、決済カードを示す図である。この例にかかるカード処理端末１は、カード挿入口１ａから本体内部に挿入された決済カード１０に記録されているカードデータを読み取る。図２に示すように、カード処理端末１は、カード挿入口１ａに連通し、決済カード１０の挿入方向に延びるカード挿入路１ｂが形成されている。また、カード処理端末１は、カード挿入口１ａにおける決済カード１０の挿入方向に、磁気ヘッド４ａ、アンテナ３ａ、および接点端子５ａがこの順に配置されている。
【００２１】
カード処理端末１は、磁気ヘッド４ａを、挿入路１ｂにおいて挿入方向に挿入されている決済カード１０の表面に形成されている磁気ストライプ１０１に当接するように設けている。表面に磁気ストライプ１０１が形成されている決済カード１０は、カード挿入口１ａにおいて挿入方向に挿入されているとき、この磁気ストライプ１０１が磁気ヘッド４ａに対してスライドする。カード処理端末１は、磁気ヘッド４ａを利用して、磁気ストライプ１０１に記録されているデータ（カードデータ）を読み取る。
【００２２】
また、カード処理端末１は、カード挿入口１ａにおいて挿入方向に挿入されている決済カード１０との間で近距離無線通信を行うためのアンテナ３ａを配置している。近距離無線通信機能を有する決済カード１０は、アンテナ３ａによる近距離無線通信エリア内に位置しているとき、カード処理端末１との間で近距離無線通信を行う。カード処理端末１は、アンテナ３ａを利用して、決済カード１０が有する非接触式のＩＣに記録されているデータ（カードデータ）を読み取る。
【００２３】
また、カード処理端末１は、決済カード１０の表面に形成されているＩＣ接点１０２に電気的に接続する接点端子５ａを有している。接点端子５ａは、カード挿入口１ａにおいて挿入方向に挿入され、ＩＣ読取位置に達した決済カード１０の表面に形成されているＩＣ接点１０２に電気的に接続できる位置に設けている。カード処理端末１は、接点端子５ａを利用して、決済カード１０が有する接触式のＩＣに記録されているデータ（カードデータ）を読み取る。
【００２４】
なお、ここで言う非接触式のＩＣとは、ＩＣ自体が近距離無線通信機能を有するという意味ではなく、記録されているデータの読み書きが近距離無線通信によって行われるＩＣであるという意味である。また、ここで言う接触式のＩＣとは、記録されているデータの読み書きが電気的に接続された接点端子５ａを介して行われるＩＣであるという意味である。このように、ここで言う非接触式のＩＣ、および接触式のＩＣは、ＩＣ自体の特徴によって分類しているわけではない。
【００２５】
また、図３では、磁気ストライプ１０１、およびＩＣ接点１０２が表面に形成された決済カード１０を図示している。こ決済カード１０は、近距離無線通信機能を有していてもよいし、有していなくてもよい。決済カード１０が、非接触式ＩＣカードである場合、近距離無線通信用のアンテナは、カード内部に設けられている。また、決済カード１０は、磁気ストライプ１０１、およびＩＣ接点１０２を表面に形成された複合カードに限定されない。決済カード１０は、磁気ストライプ１０１、およびＩＣ接点１０２が表面に形成されていない、非接触式ＩＣカードであってもよいし、磁気ストライプ１０１、またはＩＣ接点１０２の一方が表面に形成されていないものであってもよい。
【００２６】
また、カード処理端末１は、カード挿入口１ａにおいて挿入された決済カード１０がＩＣ読取位置よりも奥に挿入されるのを制限するストッパ（不図示）を有している。カード処理端末１は、カード挿入口１ａにおいて挿入された決済カード１０がＩＣ読取位置に達するまでに、磁気ヘッド４ａで決済カード１０の表面に形成されている磁気ストライプ１０１に記録されているカードデータを読み取ることができる。
【００２７】
ここでは、磁気ストライプ１０１に記録されているカードデータを磁気カードデータと言う。また、非接触式のＩＣに記録されているカードデータを非接触式カードデータと言う。また、接触式のＩＣに記録されているカードデータを接触式カードデータと言う。また、磁気カードデータ、非接触式カードデータ、および接触式カードデータを区別しない場合は、総称してカードデータと言う。また、この例では、磁気カードデータ、および接触式カードデータは、取引金額をクレジットで決済するのに用いるクレジット決済用のデータであり、非接触式カードデータは、取引金額を電子マネーで決済するのに用いる電子マネー決済用のデータである。さらに、この例では、電子マネーで決済できる上限金額（Ｘ円）が定められているものとする。
【００２８】
なお、磁気カードデータ、および接触式カードデータは取引金額をデビットで決済するのに用いるデビット決済用のデータであってもよい。
【００２９】
このカード処理端末１は、取引する商品やサービスを登録するＰＯＳ端末（不図示）に接続されている。この例では、ＰＯＳ端末が、この発明で言う上位装置に相当する。カード処理端末１は、ＰＯＳ端末から入力された決済要求にかかる取引金額が、電子マネーで決済できる取引金額の上限金額（Ｘ円）以下であると、優先順位を高い方から非接触式カードデータ、接触式カードデータ、磁気カードデータの順番に決定する。一方、カード処理端末１は、ＰＯＳ端末から入力された決済要求にかかる取引金額が、電子マネーで決済できる取引金額の上限金額（Ｘ円）を超えていると、優先順位を高い方から接触式カードデータ、磁気カードデータの順番に決定するとともに、非接触式カードデータを使用不可に決定する。
【００３０】
カード処理端末１は、カード挿入口１ａにおいて挿入された決済カード１０から読み取ったカードデータの中で、最も優先順位が高いカードデータをＰＯＳ端末に出力する。ＰＯＳ端末は、カード処理端末１から入力されたカードデータを用いて、取引金額を決済する決済処理を行う。
【００３１】
なお、カード処理端末１がＰＯＳ端末に出力するカードデータは、決済カード１０から読み取った最も優先順位が高いカードデータの全てであるとは限らない。カード処理端末１は、決済カード１０から読み取った最も優先順位が高いカードデータの一部をＰＯＳ端末に出力する構成であってもよい。また、カード処理端末１は、決済カード１０から読み取った最も優先順位が高いカードデータだけでなく、他のデータも加えてＰＯＳ端末に出力する構成であってもよい。
【００３２】
したがって、カード処理端末１では、顧客は、取引金額が電子マネーで決済できる上限金額を超えているかどうかを気にすることなく、電子マネー決済用のデータ、およびクレジット決済用のデータの両方を記憶している決済カード１０で取引金額を決済できる。また、これにより、店員の負担を低減できるとともに、取引金額を決済カード１０で決済する決済処理にかかる時間も短縮できる。
【００３３】
＜２．構成例＞
図４は、この例にかかるカード処理端末の主要部の構成を示すブロック図である。カード処理端末１は、制御ユニット２と、近距離無線通信部３と、磁気データ読取部４と、ＩＣデータ読取部５と、入出力部６と、操作部７と、表示部８とを有している。
【００３４】
制御ユニット２は、カード処理端末１本体各部の動作を制御する。また、制御ユニット２は、優先順位決定部１１を有している。この優先順位決定部１１の詳細については、後述する。
【００３５】
近距離無線通信部３は、上述したアンテナ３ａを有し、近距離無線通信機能を有する決済カード１０からの非接触式カードデータの読み取り、および決済カード１０に対する非接触式カードデータの書き込みを近距離無線で行う。近距離無線通信部３が、カードデータの読み取りを、この発明で言う非接触読取方式で行う。
【００３６】
磁気データ読取部４は、上述した磁気ヘッド４ａを有し、磁気ストライプ１０１が表面に形成されている決済カード１０からの磁気カードデータの読み取りを行う。磁気データ読取部４が、カードデータの読み取りを、この発明で言う磁気読取方式で行う。
【００３７】
ＩＣデータ読取部５は、上述した接点端子５ａを有し、ＩＣ接点１０２が表面に形成されている決済カード１０からの接触式カードデータの読み取り、および決済カード１０に対する接触式カードデータの書き込みを行う。ＩＣデータ読取部５が、カードデータの読み取りを、この発明で言う接触読取方式で行う。
【００３８】
この例では、この発明で言うカードデータ読取部は、近距離無線通信部３、磁気データ読取部４、およびＩＣデータ読取部５によって構成される。
【００３９】
入出力部６は、上位装置であるＰＯＳ端末との間におけるデータの入出力を行う。この例では、入出力部６が、この発明で言う決済要求入力部、およびカードデータ出力部に相当する構成を有する。
【００４０】
操作部７は、キーパッド７ａを有し、カード処理端末１本体に対する入力操作を受け付ける。キーパッド７ａは、図１に示すように、カード処理端末１本体表面に設けられており、ＰＩＮコードの入力操作等に用いられる。
【００４１】
表示部８は、表示器８ａを有し、この表示器８ａに表示する画面を制御する。表示器８ａは、図１に示すように、カード処理端末１本体表面に設けられている。表示部８は、決済カード１０で決済する取引金額を示す画面、ＰＩＮコードの入力を要求する画面等を表示器８ａに表示する。
【００４２】
次に、制御ユニット２が備える優先順位決定部１１について説明する。優先順位決定部１１は、決済カード１０で決済する取引金額が電子マネーで決済できる上限金額（Ｘ円）以下であるかどうかを判定する。優先順位決定部１１は、決済カード１０で決済する取引金額が電子マネーで決済できる上限金額（Ｘ円）以下であれば、決済に使用するカードデータの優先順位を、優先度の高い方から、非接触式カードデータ、接触式カードデータ、磁気カードデータの順に優先順位を決定する。一方、優先順位決定部１１は、決済カード１０で決済する取引金額が電子マネーで決済できる上限金額（Ｘ円）を超えていると、決済に使用するカードデータの優先順位を、優先度の高い方から、接触式カードデータ、磁気カードデータの順に優先順位を決定するとともに、非接触式カードデータを使用不可に決定する。
【００４３】
なお、優先順位決定部１１は、今回使用される決済カードから、非接触式カードデータ、接触式カードデータ、および磁気カードデータが読み取ることができるかどうかを考慮することなく、カードデータの優先順位を決定する。
【００４４】
制御ユニット２は、入出力部６を制御して、近距離無線通信部３、磁気データ読取部４、およびＩＣデータ読取部５が決済カード１０から読み取れたカードデータの中で、優先順位決定部１１が決定した最も優先順位の高いカードデータを上位装置であるＰＯＳ端末に出力する。
【００４５】
カード処理端末１の制御ユニット２は、ハードウェアＣＰＵ、メモリ、その他の電子回路によって構成されている。ハードウェアＣＰＵが、この発明にかかるカード決済プログラムを実行したときに、優先順位決定部１１として動作する。また、メモリは、この発明にかかるカード決済プログラムを展開する領域や、このカード決済プログラムの実行時に生じたデータ等を一時記憶する領域を有している。制御ユニット２は、ハードウェアＣＰＵ、メモリ等を一体化したＬＳＩであってもよい。また、ハードウェアＣＰＵが、この発明にかかるカード決済方法を実行するコンピュータである。
【００４６】
＜３．動作例＞
図５は、この例にかかるカード処理端末の動作を示すフローチャートである。カード処理端末１は、上位装置であるＰＯＳ端末からのカード決済要求が入出力部６に入力されるのを待っている（ｓ１）。カード処理端末１は、ＰＯＳ端末からカード決済要求が入出力部６に入力されると、このカード決済要求に含まれている取引金額が、電子マネーで決済できる上限金額（Ｘ円）を超えているかどうかを判定する（ｓ２）。ｓ２にかかる判定は、優先順位決定部１１が行う。優先順位決定部１１は、今回の取引金額が電子マネーで決済できる上限金額（Ｘ円）を超えていると判定すると、決済に使用するカードデータの優先順位を、優先度の高い方から、接触式カードデータ、磁気カードデータの順に優先順位を決定するとともに、非接触式カードデータを使用不可に決定する。
【００４７】
制御ユニット２は、今回の取引金額が電子マネーで決済できる上限金額（Ｘ円）を超えていると、近距離無線通信部３を停止する（ｓ３）。これにより、カード処理端末１は、決済カード１０が非接触式のＩＣを有していても、非接触式カードデータを読み取ることができない状態になる。しかしながら、優先順位決定部１１が、非接触式カードデータを使用不可に決定しているので、問題はない。
【００４８】
なお、カード処理端末１は、接触式カードデータ、および磁気カードデータについては、読み取り可能な状態である。
【００４９】
カード処理端末１は、カード挿入口１ａから挿入された決済カード１０に対して、磁気データ読取部４における磁気カードデータの読み取り、およびＩＣデータ読取部５における接触式カードデータの読み取りを行う（ｓ４）。ｓ４では、カード挿入口１ａから挿入された決済カード１０の表面に磁気ストライプが形成されていなければ、磁気カードデータを読み取ることはできない。また、カード挿入口１ａから挿入された決済カード１０の表面にＩＣ接点が形成されていなければ、接触式カードデータを読み取ることはできない。
【００５０】
カード処理端末１は、ｓ４で、より優先度の高い接触式カードデータを読み取れていれば、この接触式カードデータをＰＯＳ端末に出力する（ｓ５、ｓ１０）。一方、カード処理端末１は、ｓ４で、接触式カードデータを読み取れていなければ、磁気カードデータが読み取れているかどうかを判定する（ｓ５、ｓ６）。カード処理端末１は、ｓ４で磁気カードデータが読み取れていると、この磁気カードデータをＰＯＳ端末に出力する（ｓ７）。ｓ１０でＰＯＳ端末に出力する接触式カードデータ、およびｓ７でＰＯＳ端末に出力する磁気カードデータは、クレジット決済用のカードデータである。
【００５１】
また、ｓ２で、優先順位決定部１１が、今回の取引金額が電子マネーで決済できる上限金額（Ｘ円）以下であると判定すると、決済に使用するカードデータの優先順位を、優先度の高い方から、非接触式カードデータ、接触式カードデータ、磁気カードデータの順に優先順位を決定する。制御ユニット２は、今回の取引金額が電子マネーで決済できる上限金額（Ｘ円）以下であると、近距離無線通信部３を起動する（ｓ１１）。これにより、カード処理端末１は、決済カード１０が非接触式のＩＣを有していれば、非接触式カードデータを読み取ることができる状態になる。
【００５２】
なお、カード処理端末１は、接触式カードデータ、および磁気カードデータについても、読み取り可能な状態である。
【００５３】
カード処理端末１は、カード挿入口１ａから挿入された決済カード１０に対して、近距離無線通信部３における非接触式カードデータの読み取り、磁気データ読取部４における磁気カードデータの読み取り、およびＩＣデータ読取部５における接触式カードデータの読み取りを行う（ｓ１２）。ｓ１２では、カード挿入口１ａから挿入された決済カード１０の近距離無線通信機能を有していなければ、非接触式カードデータを読み取ることはできない。また、カード挿入口１ａから挿入された決済カード１０の表面に磁気ストライプが形成されていなければ、磁気カードデータを読み取ることはできない。また、カード挿入口１ａから挿入された決済カード１０の表面にＩＣ接点が形成されていなければ、接触式カードデータを読み取ることはできない。
【００５４】
カード処理端末１は、ｓ１２で、最も優先度の高い非接触式カードデータを読み取れていれば、この非接触式カードデータをＰＯＳ端末に出力する（ｓ１３、ｓ１４）。ｓ１４でＰＯＳ端末に出力する非接触式カードデータは、電子マネー決済用のカードデータである。一方、カード処理端末１は、ｓ１２で、最も優先度の高い非接触式カードデータを読み取れていなければ、上述したｓ５以降の処理を行う。
【００５５】
カード処理端末１は、ｓ７、ｓ１０、またはｓ１４のいずれかでカードデータをＰＯＳ端末に出力すると、このＰＯＳ端末から決済完了通知が入出力部６に入力されるのを待つ（ｓ８）。カード処理端末１は、ＰＯＳ端末から決済完了通知が入出力部６に入力されると、この決済完了通知に応じた完了処理を行い（ｓ９）、ｓ１に戻る。ｓ９では、ＰＯＳ端末で行われた取引金額の決済が電子マネーによるものであった場合、決済カード１０の非接触式のＩＣに記録されている価値残高を、決済前の価値残高から、今回の取引金額を減算した金額に更新する。また、ｓ９では、必要に応じて、今回の取引で発生したポイントを付与するポイント付与処理等も行われる。
【００５６】
なお、カード処理端末１は、決済カード１０から、磁気カードデータ、非接触式カードデータ、および接触式カードデータの全てが読み取れなかった場合、ｓ９における完了処理としてエラー処理を行う。
【００５７】
このように、この例にかかるカード処理端末１は、決済カード１０で決済する取引金額が、電子マネーで決済できる上限金額（Ｘ円）を超えていると、非接触式カードデータを使用不可にする。したがって、カード処理端末１は、決済カード１０が取引金額を電子マネーで決済するための非接触式カードデータを非接触式のＩＣに記憶している複合カードであっても、取引金額が電子マネーで決済できる上限金額（Ｘ円）を超えていれば、取引金額をクレジットで決済できる。これにより、顧客は、取引金額が電子マネーで決済できる上限金額を超えているかどうかを気にすることなく、電子マネー決済にかかるデータ、およびクレジット決済にかかるデータの両方を記憶している決済カード１０で取引金額を決済できる。また、これにより、店員の負担を低減できるとともに、取引金額を決済カード１０で決済する決済処理にかかる時間も短縮できる。
【００５８】
なお、カード処理端末１が、電子マネー、またはオフライン処理によるクレジット決済で、取引金額を決済する決済処理を行う構成であってもよい。この場合、カード処理端末１は、ＰＯＳ端末に対してカードデータを送信する前に決済処理を実行し、決済処理の完了後に、カードデータ、および決済処理にかかる決済データをＰＯＳ端末に出力する。また、カード処理端末１は、ｓ８にかかるＰＯＳ端末からの決済完了を待つことなく、ｓ９にかかる完了処理を実行すればよい（ｓ９にかかる完了処理の終了後に、カードデータ、および決済処理にかかる決済データをＰＯＳ端末に出力してもよい。）。
【００５９】
＜４．変形例＞
図６は、別の例にかかるカード処理端末の主要部の構成を示す図である。この別の例にかかるカード処理端末１も、図１に示す外観である。図６では、図４に示した構成と同じ構成については、同じ符号を付している。この別の例にかかるカード処理端末１は、制御ユニット２に、残高判定部１２、オートチャージ判定部１３、およびオートチャージ処理部１４を追加的に設けた点で、上記の例と異なる。
【００６０】
残高判定部１２は、決済カード１０の非接触式のＩＣに記録されている価値残高が取引金額以上であるかどうかを判定する。オートチャージ判定部１３は、クレジット決済で電子マネーのチャージが行える種類の決済カード１０であるかどうかを判定する。オートチャージ処理部１４は、決済カード１０がクレジット決済で電子マネーのチャージが行える種類の決済カード１０であれば、クレジット決済で電子マネーのチャージにかかる処理を実行する。
【００６１】
図７は、この別の例にかかるカード処理端末の動作を示すフローチャートである。図７では、図５に示した処理に追加される処理を記載している。カード処理端末１は、ｓ１３で、決済カード１０から非接触式カードデータが読み取れたと判定すると、この決済カード１０の価値残高が、今回の取引金額以下である残高不足であるかどうかを判定する（ｓ２１）。ｓ２１にかかる判定は、残高判定部１２によって行われる。
【００６２】
カード処理端末１は、残高判定部１２が残高不足でないと判定すると、ｓ１４以降の処理を実行する。
【００６３】
一方、カード処理端末１は、残高判定部１２が残高不足であると判定すると、クレジット決済で電子マネーのチャージが行える種類の決済カード１０であるかどうかを判定する（ｓ２２）。ｓ２２にかかる判定は、オートチャージ判定部１３によって行われる。
【００６４】
カード処理端末１は、オートチャージ判定部１３がクレジット決済で電子マネーのチャージが行える種類の決済カード１０でないと判定すると、ｓ５以降の処理を実行する。
【００６５】
一方、カード処理端末１は、オートチャージ判定部１３がクレジット決済で電子マネーのチャージが行える種類の決済カード１０であると判定すると、オートチャージ処理を行い（ｓ２３）、ｓ１４以降の処理を実行する。ｓ２３にかかる処理は、オートチャージ処理部１４によって行われる。
【００６６】
ここで、ｓ２３にかかるオートチャージ処理について説明しておく。決済カード１０の現在の価値残高と、今回の取引金額との差額を算出する。そして。ここで算出した差額以上の金額を、クレジット決済でチャージする。チャージできる金額は、例えば１０００円単位であり、決済カード１０の現在の価値残高と、今回の取引金額との差額に基づき、決済カード１０の価値残高が今回の取引金額以上になる最小の金額をチャージする。
【００６７】
また、このオートチャージでは、カード処理端末１はＰＯＳ端末に対して、オートチャージの要求を行い、ＰＯＳ端末がオートチャージにかかるクレジット決済を行う。
【００６８】
この別の例にかかるカード処理端末１では、決済カード１０の価値残高が、今回の取引金額以下である残高不足であっても、取引金額を電子マネーで決済できる。
【００６９】
図８は、さらに別の例にかかるカード処理端末の概略の断面図である。図８では、図２に示した構成と同じ構成については、同じ符号を付している。この例にかかるカード処理端末１は、カード挿入路１ｂを挟んで、２つの磁気ヘッド４ａ、４ｂを対向させて配置した構成である点（磁気ヘッドで４ｂを設けた点）で、上記の例と異なる。
【００７０】
この図８に示す構成では、決済カード１０の両面のそれぞれに磁気ストライプ１０１を対向させて形成したダブルストライプ型の決済カード１０が挿入口１ａから挿入されたとき、この決済カード１０の両面に形成されている磁気ストライプ１０１に記録されている磁気カードデータを同時に読み取ることができる。
【００７１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００７２】
さらに、この発明にかかる構成と上述した実施形態にかかる構成との対応関係は、以下の付記のように記載できる。
【００７３】
＜付記＞
上位装置から、取引金額を決済カード（１０）で決済する決済要求が入力される決済要求入力部（６）と、
前記決済要求入力部（６）に入力された前記決済要求に応じて受け付けた決済カード（１０）に記録されているカードデータを読み取るカードデータ読取部（３、４、５）と、
前記カードデータ読取部（３、４、５）が読み取ったカードデータを前記上位装置に出力するカードデータ出力部（６）と、を備えたカード処理端末（１）において、
前記カードデータ読取部（３、４、５）は、前記決済カード（１０）に記録されているカードデータを、前記決済カード（１０）との無線通信で読み取る非接触読取方式、接点端子（５ａ）を前記決済カード（１０）の表面に形成されているＩＣ接点に電気的に接続して読み取る接触読取方式、および磁気ヘッド（４ａ）を前記決済カード（１０）の表面に形成されている磁気ストライプに当接させて読み取る磁気読取方式のうち、少なくとも前記非接触読取方式を含む２つ以上について行え、
また、前記決済要求入力部（６）に入力された前記決済要求にかかる取引金額が予め定めた判定金額を基準にして、前記カードデータ読取部（３、４、５）が前記非接触読取方式、前記接触読取方式、または前記磁気読取方式で読み取ったカードデータの優先順位を決定する優先順位決定部（１１）を備え、
さらに、前記カードデータ出力部（６）は、前記優先順位決定部（１１）が決定した、最も優先順位の高い読取方式で読み取ったカードデータを前記上位装置に出力する、カード処理端末（１）。
【符号の説明】
【００７４】
１…カード処理端末
１ａ…カード挿入口
１ｂ…カード挿入路
２…制御ユニット
３…近距離無線通信部
３ａ…アンテナ
４…磁気データ読取部
４ａ…磁気ヘッド
５…ＩＣデータ読取部
５ａ…接点端子
６…入出力部
７…操作部
７ａ…キーパッド
８…表示部
８ａ…表示器
１０…決済カード
１１…優先順位決定部
１２…残高判定部
１３…オートチャージ判定部
１４…オートチャージ処理部
１０１…磁気ストライプ
１０２…ＩＣ接点
【図１】
2019114089.tif 000003
【図２】
2019114089.tif 000004
【図３】
2019114089.tif 000005
【図４】
2019114089.tif 000006
【図５】
2019114089.tif 000007
【図６】
2019114089.tif 000008
【図７】
2019114089.tif 000009
【図８】
2019114089.tif 000010